(57)【要約】      （修正有）【課題】角度調節機能を有し、様々な大きさのハンドライトを装着することができ、着脱して仕様できる自転車用ハンドライト固定具を提供する。【解決手段】様々な直径の市販されているハンドライト２１を挟持部１で脱着固定することにより、１個のハンドライトを自転車と一般で気軽に使い分けることが出来る。プラスチックやゴム、金属等の材料を使用することでライトを装着した時の安定感があり、雨などに濡れたとき悪臭が出ることも少なく、更に絞れるほど濡れることもなく使用時の不快感が軽減される。角度調整機能を付けることによりライトの照射位置を簡単に変更することが出来る。【選択図】図１
2013001258.tif 000002
【特許請求の範囲】
【請求項１】
基台上に、先端部にハンドライト挟持部を有する一組のアームのうちの一方のアームと、他方のアームのブレを抑える安定板とを固定し、一方のアームには調整ネジと螺合するネジ穴部が形成され、他方のアームには調整ネジ貫通孔が形成されており、他方のアームが一方のアーム側に調整ネジの進退により移動可能に配設されていることを特徴とする自転車用ハンドライト固定具。
【請求項２】
一組のアームが基台上に複数組並設されることを特徴とする請求項１に記載の自転車用ハンドライト固定具。
【請求項３】
前記一組のアームと基台は直角に配置されることを特徴とする請求項１または請求項２に記載の自転車用ハンドライト固定具。
【請求項４】
前記一組のアームは、各々平行に配置されることを特徴とする請求項１ないし請求項３のいずれかに記載の自転車用ハンドライト固定具。
【請求項５】
前記一組のアームは、側面視くの字形状であることを特徴とする請求項１ないし請求項４のいずれかに記載の自転車用ハンドライト固定具。
【請求項６】
前記アームのハンドライト挟持部には、その内側に弾性体を備え、弾性体表面に切れ目を有することを特徴とする請求項１ないし請求項５のいずれかに記載の自転車用ハンドライト固定具。
【請求項７】
ハンドライトの照射場所を可変するために、基台の傾きを可変させる角度調整機構を設けたことを特徴とする請求項１ないし請求項６のいずれかに記載の自転車用ハンドライト固定具。
【発明の詳細な説明】
【技術分野】
【０００１】
本発明は、自転車に市販のハンドライトを装着できる固定具である。          
【背景技術】
【０００２】
自転車用ハンドライト固定具は、一般に自転車のライトの代わりにハンドライトを装着できる。
【先行技術文献】
【特許文献】
【０００３】
【特許文献１】特許公開2009-166556
【特許文献２】特許公開2009-001277
【特許文献３】特許公開2001-233264
【特許文献４】特許公開2004-521011
【特許文献５】特許公開2004-123075
【発明の概要】
【発明が解決しようとする課題】
【０００４】
以上のような従来のライト固定具には、次のような解決すべき課題があった。
（１）そのライト専用である。
（２）角度調節機能がない。
（３）様々な大きさのハンドライトを装着することに適応しない。
（４）様々な大きさのハンドライトを一つの器具で固定できない。
（５）人力発電である。
（６）ライトを脱着し使用できない。
（７）明るさを増やすにはそのライト専属の電球を付けなければならない。
（８）ライトを装着した時の安定感が悪い。
（９）布や皮等を材料で使用すると、雨などに濡れたとき悪臭が出ることもあり、更に絞れるほど濡れ使用の時に不快感がある。
（１０）ほとんどが小さく軽量のライトにだけ使用するものである。
【課題を解決するための手段】
【０００５】
本発明は以上の点を解決するために、次のような構成を採用する。
〈構成１〉
基台上に、先端部にハンドライト挟持部を有する一組のアームのうちの一方のアームと、他方のアームのブレを抑える安定板とを固定し、一方のアームには調整ネジと螺合するネジ穴部が形成され、他方のアームには調整ネジ貫通孔が形成されており、他方のアームが一方のアーム側に調整ネジの進退により移動可能に配設されていることを特徴とする自転車用ハンドライト固定具。
〈構成２〉
一組のアームが基台上に複数組並設されることを特徴とする自転車用ハンドライト固定具。
〈構成３〉
前記一組のアームと基台は直角に配置されることを特徴とする自転車用ハンドライト固定具。
〈構成４〉
前記一組のアームは、各々平行に配置されることを特徴とする自転車用ハンドライト固定具。
〈構成５〉
前記一組のアームは、側面視、くの字形状であることを特徴とする自転車用ハンドライト固定具。
〈構成６〉
前記アームのハンドライト挟持部には、その内側に弾性体を備え、弾性体表面に切れ目を有することを特徴とする自転車用ハンドライト固定具。
〈構成７〉
基台とアーム接触部にはスライド溝があり雄雌噛み合わせることによりアームをスライドし移動できることを特徴とする自転車用ハンドライト固定具。
〈構成８〉
ハンドライトの照射場所を可変するために、基台の傾きを可変させる角度調整機構を設けたことを特徴とする自転車用ハンドライト固定具。
【発明の効果】
【０００６】
（１）市販のハンドライトを自転車で気軽に使用できる。
（２）懐中電灯型を使用するので、人力で発電する労力を必要としない。
（３）一つのハンドライトで自転車と一般の両方で使用できる。
（４）様々な直径のライトを装着でき、明るさも自由に選べる。
（５） 様々な直径の市販されているハンドライトを挟持部で固定することにより、１個のハンドライトを自転車と一般で気軽に使い分けることが出来る。
（６）プラスチックやゴム、金属等の材料を使用することでライトを装着した時の安定感があり、雨などに濡れたとき悪臭が出ることも少なく、更に絞れるほど濡れることもなく使用時の不快感が軽減される。
（７）角度調整機能を付けることによりライトの照射位置を簡単に変更することが出来る。
【図面の簡単な説明】
【０００７】
【図１】この発明の第一の実施例を示す斜視図。
【図２】この発明の第二の実施例を示す斜視図。
【図３】この発明の第二の実施例を示す側面図。
【発明を実施するための形態】
【０００８】
以下、本発明を図の具体例を用いて詳細に説明する。
【実施例１】
【０００９】
図１に本発明の自転車用ハンドライト固定具の第一の実施例の斜視図を示す。
図１の自転車用ハンドライト固定具は、挟持部１、アーム２、調整用ネジ３、調整用ネジ摘み４、調整用ネジ雌５、安定用バー６、基台７、安定板８、円形バー固定具９、円形バー固定具用ネジ１０、ハンドライト２１、スライド溝２２からなり。
基台７の中央部裏側には、円形バー固定具９が取り付けられている。
基台７の表側両先端部には其々アーム２が接続されている。
基台７とアーム２接触部にはスライド溝２２があり噛み合わせることによりアームをスライドし移動できる。
アーム２の基台７側先端部には、安定用バー６が接続されている。
安定用バー６が接続されている隣のアーム２側に、調整用ネジ３が接続されている。
アーム２、調整用ネジ３の中央に安定板８の穴を安定用バー６と調整用ネジ３が貫通している。
調整用ネジ雌５は基台７に固定又は、接続されている。
調整用ネジ摘み４側のアーム２は安定用バー６の雄又は、雌が接続又は固定されている。
調整用ネジ摘み４側のアーム２は基台７と、調整用ネジ３で接続されている。
アーム２の先端部には挟持部１が固定又は接続されている。
挟持部１の表面にはハンドライト２１が挟まれている。
円形バー固定具９は円形バー固定具用ネジ１０で接続されている。
【００１０】
以上の自転車用ハンドライト固定具は次のようにして使用する。
図１にある自転車用ハンドライト固定具の挟持部１に、ハンドライト２１を調整用ネジ摘み４で固定する。調整用ネジ３と安定用バー６を稼動し調整用ネジ雌５に挿入され、アーム２と挟持部１のパーツが対向の同種パーツに近づき、挟持部１でハンドライト２１を挟んで掴み固定することができる。
基台７に安定板８が附属され、調整用ネジ３と安定用バー６を支えてブレをなくすために使用する。安定板８にある穴の内側にネジの溝などがあってもよい。安定板８の形状は輪ゴムのような形や挟み込めるもの、フックやクリップのようなものであってもよく、基本的に調整ネジやアーム等のブレを抑えられるものであればよい。安定板８は固定や接続又はネジ締めの後に、はめ込みや挟み込み等で固定されている。
円形バー固定具９は自転車のハンドルバーなどに挟み、円形バー固定具用ネジ１０で固定や接続する。
自転車用ハンドライト固定具の全てにおける材料は、ゴムやプラスチック金具など、できるだけ錆びない材料を使用する。
接続部にゴムなどの緩衝材を使用してもよい。
図３に表示されている、挟み器具可動ストッパー１８や挟み表面切れ目２０などを使用してもよい。
基台７に穴が開きネジで円形バー固定具９を固定や接続されているが、横などを通す方法や、基台７に穴を開けずに円形バー固定具９自体に雌などを設置し接続や固定してもよい。
安定用バー６は使用してもしなくてもよい。
挟持部１の形状は側面から見ると、くの字形の形に見えるが、円弧やイボ状などの形状でもよい。
挟み表面切れ目２０の切れ目は入っていてもいなくてもよい。
挟持部１とアーム２は４固有二組表示されているが、一組や二組以上の複数でもよい。
円形バー固定具９に円形バー固定具用ネジ１０が２本設置されているが、片側の機能又は両側の形状を変えて引っ掛けるタイプやはめ込むタイプなどにし、1本又はそのままで固定などをしてもよい。
調整用ネジ摘み４や挟持部やアーム、その他のパーツなどのデザインを変えてもよい。
アーム２と基台７を安定できブレを抑えるために、基台７とアーム２の接触部に噛み合わせることで、スライドできるスライド溝２２のような溝状を使用してもよい。溝状のものはスライドできればそれ以外の形状でもよく、安定板８や安定用バー６の代わりに使用することや、それぞれの機能を併用又は単体で使用してもよい。
調整ネジ３のアーム貫通孔に貫通した調整ネジ３は、回せる状態でアームとネジを抑えるように調整用ネジ摘み４反対のネジ側アーム孔と調整用ネジ３接触部近辺に、ネジ固定輪２３のようなゴム状又はその他の材質によるゴム輪やワッシャなどのようなものを使用してもよい。
【実施例２】
【００１１】
図２に本発明の自転車用ハンドライト固定具の第二の実施例の斜視図を示す。
図１と同じ構成要素については説明を省略する。
図２において、図１で説明の挟持部１、アーム２、調整用ネジ３、調整用ネジ摘み４、調整用ネジ雌５、安定用バー６、基台７、安定板８、ハンドライト２１、及び新たに、角度調整プレート１１、角度調整プレート固定用雄１２、角度調整プレート固定用雄用可動プレート１３、角度調整プレート用基台１４、角度調整プレート固定用雄用可動プレート基台１５、楕円形バー固定具１６、楕円形バー固定具ネジ１７、図３に表示されている、挟み器具可動ストッパー１８、角度調整プレートと角度調整プレート用基台接続器具１９、挟み表面切れ目２０、ネジ固定輪２３、連結孔２４からなる。
基台７は角度調整プレート１１の中央より外側に固定又は接続されている。
基台７の中央より反対側にある角度調整プレート１１の、連結孔２４には、角度調整プレート固定用雄１２が貫通又は接続されている。
角度調整プレート固定用雄１２は、角度調整プレート固定用雄用可動プレート１３に可動できる状態で接続されている。
固定用雄用可動プレート１３は、角度調整プレート固定用雄用可動プレート基台１５固定又は接続されている。
角度調整プレート固定用雄用可動プレート基台１５は、角度調整プレート用基台１４中央より先端側に固定又は接続されている。
角度調整プレート１１は、角度調整プレート用基台１４の中央部付近に可動できる状態で角度調整プレートと角度調整プレート用基台接続器具１９で接続されている。
角度調整プレート用基台１４の両先端部には、楕円形バー固定具１６が固定又は接続されている。
２個の楕円形バー固定具１６は、楕円形バー固定具ネジ１７で接続されている。
調整用ネジ雌５はアーム２にネジ固定輪２３で回せる状態で接続固定されている。
【００１２】
図３に本発明の自転車用ハンドライト固定具の図２の実施例の側面図を示す。
図１と図２に同じ構成要素については説明を省略する。
挟み器具可動ストッパー１８は、挟持部１とアーム２のつなぎ目に接続されている。
挟み器具可動ストッパー１８はスライド又は脱着などで、挟持部１とアーム２の固定や可動を調整できる。
角度調整プレートと角度調整プレート用基台接続器具１９は、角度調整プレート１１と角度調整プレート用基台１４の中央付近を貫通し、間と両側に穴より少し大きめのプレートが挟まれている。
挟み表面切れ目２０は挟持部１の表面に、単数又は複数の切れ目があり、又凹凸もある。
【００１３】
以上の自転車用ハンドライト固定具は次のようにして使用する。
図１と同じ使用例については説明を省略する。
図２と図３にある自転車用ハンドライト固定具は、図１で説明の挟持部１、アーム２、調整用ネジ３、調整用ネジ摘み４、調整用ネジ雌５、安定用バー６、基台７、安定板８、ハンドライト２１、及び新たに、角度調整プレート１１を回転し稼動することで、ハンドライト２１の角度を変え調整する。角度調整プレート固定用雄１２を角度調整プレート１１の連結孔２４に挿入又はネジ留めすることで角度調整プレート１１を固定や接続する。角度調整プレート用基台１４に穴又はネジ穴などを開け、角度調整プレート固定用雄１２を穴に挿入又はネジ留めし角度調整プレート１１を固定や接続してもよい。角度調整プレート固定用雄用可動プレート１３は長丸などの穴が有り、角度調整プレート固定用雄１２を稼動できるようにしてある。長丸などの穴が無く角度調整プレート固定用雄１２をそのまま引き抜き又は引っ張る等をすることが出来るようにしてもよい。角度調整プレート固定用雄用可動プレート基台１５は稼働することが出来るが固定等の形状でもよい。角度調整プレート用基台１４は、角度調整プレート固定用雄用可動プレート基台１５と角度調整プレート１１をつなげる役目をする。又は台の代わりなどになる。楕円形バー固定具１６は自転車のフロントバーなどを挟み、楕円形バー固定具ネジ１７を使用し固定や接続することができる。
図３に表示されている挟み器具可動ストッパー１８は、スライド又は脱着などをすることにより、挟持部１とアーム２の固定や稼動を調整できる。挟持部１とアーム２は稼動できるように蝶番のような部品又は、はめこみ等の可動を使用してもしないで固定などをしてもよく、挟持部１とアーム２が一体型の場合はストッパーを使用しない。角度調整プレートと角度調整プレート用基台接続器具１９は、角度調整プレート１１と角度調整プレート用基台１４の中央付近を貫通し、間と両側に穴より少し大きめのプレートが挟まれていることで、それを軸に角度調整プレート１１が回転する。角度調整プレート用基台１４側は固定接続されている。挟み表面切れ目２０があることで、ハンドライト２１を固定するために接地面を増やすことが出来る。くの字形は直径の２点を固定するための形状である。
挟持部１の内側表面は凹凸やフラットなどがある。
材質や形状、デザインなども実施例１の使用例に示したと通りで、新しく出た部品なども同様である。
様々な直径のハンドライトを固定できる、挟持部を持つことを特徴とする。
ハンドライトを固定できる挟持部は、単数又は、複数あることを特徴とする。
挟持部にあるはさみ部分は、ゴム状のものでできていることを特徴とする。  挟持部にあるはさみ部分のゴム状のものの表面の形状は側面から見ると、くの字のような形をしていることを特徴とする。
挟持部にあるはさみ部分のゴム状のものの表面には、単数又は複数の切れ目があることを特徴とする。
挟持部にあるはさみ部分のゴム状のものの表面には、凹凸があることを特徴とする。
挟持部とアームは外側開きのように稼働することを特徴とする。
挟持部とアームは外側開きのように稼働する部位には固定するためのストッパーを使用することを特徴とする。
挟持部の中央から付け根部位には、可動するために必要なネジの雄又は雌を備えていること特徴とする。
挟持部の付け根部位には、その器具を安定するための棒状のバーを備えていることを特徴とする。
挟持部の付け根部位にある器具を安定するための棒状のバーは、片側が雄で反対には雌があることを特徴とする。
挟持部の中央から付け根部位にある、可動するために必要なネジの雄側にはネジを回す摘みがあり、それを回すことにより挟みの間隔が調整することを特徴とする。
固定具の角度を調節できる器具を備えていることを特徴とする。
固定具の角度を調節できる器具には固定するための複数の穴が開いていることを特徴とする。
固定具の角度を調節できる器具の複数の穴は雌で棒状の雄を差し込み固定することを特徴とする。
棒状の雄はネジのような形もあることを特徴とする。
棒状の雄ネジ摘み根本にあるプレートには長丸の穴があり、その穴を棒状のものがスライドし弧を描くことを特徴とする。
棒状の雄ネジの摘み根本にあるプレート自体ドアのちょうつがいのように可動することを特徴とする。
固定具の角度を調節できる複数の穴が開いている器具は、円盤状で中央付近の接続部を中心に円を描き稼働することを特徴とする。
固定具の角度を調節できる複数の穴が開いている器具の反対側には挟持部が固定されていることを特徴とする。
固定具の角度を調節できる複数の穴が開いている器具の反対側に挟持部が固定されていることにより、はさみ状の器具の角度を変えることができることを特徴とする。
自転車用ハンドライト固定具は、プラスチック、金具、ゴムなどの錆びにくい材料を使用することを特徴とする。
基台とアームの接触部に噛み合わせることでスライドできる溝があることを特徴とする。
【符号の説明】
【００１４】
１  挟持部
２  アーム
３  調整用ネジ
４  調整用ネジ摘み
５  調整用ネジ雌
６  安定用バー
７  基台
８  安定板
９  円形バー固定具
１０円形バー固定具用ネジ
１１角度調整プレート
１２角度調整プレート固定用雄
１３角度調整プレート固定用雄用可動プレート
１４角度調整プレート用基台
１５角度調整プレート固定用雄用可動プレート基台
１６楕円形バー固定具
１７楕円形バー固定具ネジ
１８挟み器具可動ストッパー
１９角度調整プレートと角度調整プレート用基台接続器具
２０挟み表面切れ目
２１ハンドライト
２２スライド溝
２３ネジ固定輪
２４連結孔
【図１】
2013001258.tif 000003
【図２】
2013001258.tif 000004
【図３】
2013001258.tif 000005
【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
傾きを可変させる角度調整機構を備えた基台上に、先端部にハンドライト挟持部を有する一組のアームのうちの一方のアームと、他方のアームのブレを抑える安定版とを固定し、一方のアームには調整ネジと螺合するネジ穴部が形成され、他方のアームには調整ネジ貫通孔が形成されており、他方のアームが一方のアーム側に調整ネジの進退により移動可能に配設されている自転車用ハンドライト固定具において、前記角度調整機構は、基台に固定された半円板状の角度調整プレートが、角度調整プレートの外周の一部に沿って設けられた丸穴が連接した連結孔の任意の位置に貫挿した角度調整プレート固定用ネジにより固定されることを特徴とする自転車用ハンドライト固定具。
【手続補正２】
【補正対象書類名】明細書
【補正対象項目名】０００５
【補正方法】変更
【補正の内容】
【０００５】
本発明は上記課題を解決するために、傾きを可変させる角度調整機構を備えた基台上に、先端部にハンドライト挟持部を有する一組のアームのうちの一方のアームと、他方のアームのブレを抑える安定版とを固定し、一方のアームには調整ネジと螺合するネジ穴部が形成され、他方のアームには調整ネジ貫通孔が形成されており、他方のアームが一方のアーム側に調整ネジの進退により移動可能に配設されている自転車用ハンドライト固定具において、前記角度調整機構は、基台に固定された半円板状の角度調整プレートが、角度調整プレートの外周の一部に沿って設けられた丸穴が連接した連結孔の任意の位置に貫挿した角度調整プレート固定用ネジにより固定されることを特徴とする。
【手続補正書】
【提出日】平成24年2月17日(2012.2.17)
【手続補正１】
【補正対象書類名】特許請求の範囲
【補正対象項目名】全文
【補正方法】変更
【補正の内容】
【特許請求の範囲】
【請求項１】
基台と角度調整プレート用基台との傾きを可変させる角度調整機構を備え、基台上に先端部にハンドライト挟持部を有する一組のアームのうちの一方のアームと、他方のアームのブレを抑える安定板とを固定し、一方のアームには調整ネジと螺合するネジ穴部が形成され、他方のアームには調整ネジ貫通孔が形成されており、他方のアームが一方のアーム側に調整ネジの進退により移動可能に配設されている自転車用ハンドライト固定具において、前記角度調整機構は、基台と連結し角度調整プレート用基台に回動自在に支持された半円板状の角度調整プレートが、角度調整プレートの外周の一部に沿って設けられた丸穴が連接した連結孔の任意の位置に貫挿した角度調整プレート固定用ネジにより固定されることを特徴とする自転車用ハンドライト固定具。
【手続補正２】
【補正対象書類名】明細書
【補正対象項目名】０００５
【補正方法】変更
【補正の内容】
【０００５】
本発明は上記課題を解決するために、基台と角度調整プレート用基台との傾きを可変させる角度調整機構を備え、基台上に先端部にハンドライト挟持部を有する一組のアームのうちの一方のアームと、他方のアームのブレを抑える安定板とを固定し、一方のアームには調整ネジと螺合するネジ穴部が形成され、他方のアームには調整ネジ貫通孔が形成されており、他方のアームが一方のアーム側に調整ネジの進退により移動可能に配設されている自転車用ハンドライト固定具において、前記角度調整機構は、基台と連結し角度調整プレート用基台に回動自在に支持された半円板状の角度調整プレートが、角度調整プレートの外周の一部に沿って設けられた丸穴が連接した連結孔の任意の位置に貫挿した角度調整プレート固定用ネジにより固定されることを特徴とする。
【手続補正３】
【補正対象書類名】図面
【補正対象項目名】全図
【補正方法】変更
【補正の内容】
【図１】
2013001258.tif 000006
【図２】
2013001258.tif 000007
【図３】
2013001258.tif 000008